(57)【要約】 【課題】  所要メモリ容量の増大を抑制し画像データの線順次から点順次への変換に伴う画像データ処理の生産性を高くする。【解決手段】  画像面のライン上画素の色別画像データを発生して色別線順次で出力する画像読み取り手段１；カラー画像データの補正手段および線点変換手段を持ち、色別線順次でパラレルに入力されるライン上画素の色別画像データを、補正手段で補正し色別線順次で出力する機能と、前記補正と線点変換手段による線点変換を行って点順次で出力する機能とを持つ、入力画像データ処理装置２ａ；メモリ７；および、入力画像データ処理装置２ａが出力する線順次又は点順次の画像データをメモリ７に格納し、メモリ７より線順次又は点順次で読み出す画像転送制御手段３，４；を備える。更に、線順次又は面順次の画像データをプリンタ用の線順次の記録色画像データに変換する出力画像データ処理装置２ｂ；を備える。【選択図】  図３
2008288818.tif 000002
【特許請求の範囲】
【請求項１】
カラー画像データの補正手段および線点変換手段を持ち、色別線順次でパラレルに入力されるライン上画素の色別画像データを、前記補正手段による補正と前記線点変換手段による線点変換を行って点順次で出力する機能を持つ、入力画像データ処理装置；
メモリ手段；および、
前記入力画像データ処理装置が出力する点順次の画像データを前記メモリ手段に格納し、前記メモリ手段より点順次で読み出す画像転送制御手段；
を備える画像処理装置。
【請求項２】
カラー画像データの補正手段および線点変換手段を持ち、色別線順次でパラレルに入力されるライン上画素の色別画像データを、前記補正手段で補正し色別線順次で出力する機能と、前記補正手段による補正と前記線点変換手段による線点変換を行って点順次で出力する機能とを持つ、入力画像データ処理装置；
メモリ手段；および、
前記入力画像データ処理装置が出力する線順次又は点順次の画像データを前記メモリ手段に格納し、前記メモリ手段より線順次又は点順次で読み出す画像転送制御手段；
を備える画像処理装置。
【請求項３】
更に、記録色画像データが表す画像を用紙上に形成するプリンタ；および、
前記線順次の色別画像データを前記プリンタ用の記録色画像データに変換する色補正機能を持ち、前記色別線順次の画像データを前記記録色画像データに変換して線順次で前記プリンタに出力する、出力画像データ処理装置；を備え、
前記画像転送制御手段は、前記メモリ手段に格納した線順次の画像データを、前記出力画像データ処理装置に出力する機能を持つ；請求項２に記載の画像処理装置。
【請求項４】
更に、記録色画像データが表す画像を用紙上に形成するプリンタ；および、
前記線順次の色別画像データを前記プリンタ用の記録色画像データに変換する色補正機能を持ち、前記色別線順次の画像データを前記記録色画像データに変換して線順次で前記プリンタに出力する機能を持つ、出力画像データ処理装置；を備え、
前記画像転送制御手段は、前記メモリ手段より線順次又は面順次の画像データを読み出して前記出力画像データ処理装置に出力する機能を持つ；請求項２に記載の画像処理装置。
【請求項５】
前記画像転送制御手段は、前記メモリ手段に格納した点順次の画像データを読み出して外部に送出する機能を持つ；請求項１乃至４のいずれか１つに記載の画像処理装置。
【請求項６】
カラー画像データの補正手段および線点変換手段を持ち、色別線順次でパラレルに入力されるライン上画素の色別画像データを、前記補正手段で補正し色別線順次で出力する機能と、前記補正手段による補正と前記線点変換手段による線点変換を行って点順次で出力する機能とを持つ、入力画像データ処理装置；
メモリ手段；
記録色画像データが表す画像を用紙上に形成するプリンタ；
前記カラー画像データを前記プリンタ用の記録色画像データに変換する色補正機能を持ち、前記色別線順次の画像データを前記記録色画像データに変換して線順次で前記プリンタに出力する機能を持つ、出力画像データ処理装置；および、
前記入力画像データ処理装置が出力する線順次又は点順次の画像データを前記メモリ手段に格納し、前記メモリ手段より読み出して、前記出力画像データ処理装置又は外部に出力する画像転送制御手段；
を備える画像処理装置。
【請求項７】
画像面のライン上画素の色別画像データを発生して色別線順次で前記入力画像データ処理装置に出力する画像読み取り手段；を更に備える請求項１乃至６のいずれか１つに記載の画像処理装置。
【請求項８】
前記線点変換手段は、色別線順次でパラレルに入力されるライン上画素の色別画像データを、点順次画像データに変換する点順次変換手段，前記点順次画像データをライン単位で一時格納するバッファメモリ、および、該バッファメモリから、ライン単位を色別数で分割してパラレルに出力する分割出力手段、を備える請求項１乃至７のいずれか１つに記載のカラー画像処理装置。
【請求項９】
前記画像転送制御手段は、前記分割出力手段がライン単位を色別数で分割してパラレルに出力する点順次の画像データを前記メモリ上の連続したメモリアドレスに格納する；請求項８に記載のカラー画像処理装置。
【請求項１０】
前記線点変換手段は、色別線順次でパラレルに入力されるライン上画素の色別画像データを、点順次画像データに変換する点順次変換手段，前記点順次画像データをライン単位で順次に複数ライン分格納するバッファメモリ、および、該バッファメモリから、前記複数ライン分をパラレルに出力するライン出力手段、を備える請求項１乃至７のいずれか１つに記載のカラー画像処理装置。
【発明の詳細な説明】
【技術分野】
【０００１】
本発明は、代表的な一例では、カラースキャナが発生し色別線順次でパラレルに出力されるＲ，Ｇ，Ｂ画像データなどの色別画像データを、一旦メモリに蓄積してから、点順次の画像データを出力することが出来るカラー画像処理装置に関する。本発明はたとえば、カラースキャナ，電子撮像装置（デジタルカメラ，ビデオカメラ），プリンタ，複写機，サーバ，コンピュータ，ファクシミリなどに用いることが出来る。最も代表的な１実施態様は、カラースキャナからの線順次カラー画像を点順次に変換して転送するカラー画像処理装置である。
【背景技術】
【０００２】
【特許文献１】特開２００１−２７３１０４号公報
【特許文献２】特開２００６−１７８５４６号公報
【特許文献３】特許第３７３０５８６号公報。
【０００３】
特許文献１には、様々なデータ出力手段の画像データを点順次でバンドメモリに格納し、バンドメモリから読み出してプリンタ出力に適した記録色画像データに変換してページメモリに格納し、ページメモリから読み出して階調処理してプリンタに出力する画像処理装置が記載されている。
【０００４】
特許文献２には、外部メモリより、点順次，線順次或いは面順次で格納された画像データを、点順次で読み出して第１バッファに書込み、第１バッファの画像データを、画像データに対して各種処理を行う複数の処理ユニットの組み合わせで処理して第２バッファに書込むデータ処理装置が記載されている。
【０００５】
特許文献３には、スキャナとメモリとの間にＮライン分の容量を有するトグルバッファを備えて、トグルバッファに書き込んだライン数と切換え回数に基づいて、スキャナが出力する画像データの副走査ライン数を算出する画像処理装置が記載されている。
【０００６】
ここで図１４を用いて、本書での、画像データの面順次，線順次および点順次について説明する。「面順次」は、図１４の（ａ）に示すように、各色成分の画像データであるＲ，Ｇ，Ｂ画像データの１ページ分を、色成分ごと１ページ（プレーン）に構成する方式である。メモリ上に蓄積されたＲ，Ｇ，Ｂ画像データの各プレーン画像は、面順次の画像と言える。「線順次」は、図１４の（ｂ）に示すように、Ｒ，Ｇ，Ｂ画像データを、ラインごとに構成する方式である。カラースキャナ等において、色成分別のラインがパラレル出力されるＲ，Ｇ，Ｂ画像データは、線順次の画像データと言える。「点順次」は、図１４の（ｃ）に示すように、点（ライン上画素）の色情報を表す、１画素宛てのＲ，Ｇ，Ｂ画像データを１セットとして構成する方式である。画像フォーマットの中には，点順次で画像データが並ぶものがある。
【０００７】
面順次の画像データを点順次の画像データに変換することを面点変換と言い、その逆を点面変換という。また、線順次の画像データを点順次の画像データに変換することを線点変換と言い、その逆を点線変換又は線点逆変換という。線順次の画像データを面順次の画像データに変換することを線面変換と言い、その逆を面線変換という。
【０００８】
カラースキャナ，電子撮像装置（デジタルカメラ，ビデオカメラ），プリンタ，複写機，サーバ，コンピュータ，ファクシミリなどでは、主に、面順次又は線順次で画像データが転送されるが、点順次の画像データの入，出力或いは転送が必要となる場合がある。
【０００９】
図１５のように、メインメモリを１箇所に集約した構成の画像処理装置における、従来の、画像転送と点順次画像の生成方法について説明する。カラースキャナ１から画像データ処理装置２に入力されるカラーの画像データは、Ｒ，Ｇ，Ｂの色プレーンごとにページ同期信号とライン同期信号に同期している。つまり、線順次でパラレル入力される。画像データ処理装置２が出力するＲ，Ｇ，Ｂ画像データを、バス制御装置３およびメモリ制御装置４が、プレーン（Ｒ，Ｇ，Ｂ）ごとにメモリ７に転送する。つまり，面順次でメモリ７に格納する。通常は、面順次のままで画像データの補正，変換などの処理を行うが、点順次の画像データが必要となる場合は、システムコントローラのＣＰＵ５で面点変換を行う。ＣＰＵ５は、メモリ７上の面順次のＲ，Ｇ，Ｂの画像データをそれぞれ読み出して、Ｒ，Ｇ，Ｂ画像データを画素単位のセットにした点順次の画像データに編成して、再びメモリ７に書き戻す。そしてメモリ７から点順次で読み出して所要の箇所又はデバイスに送出する。
【発明の開示】
【発明が解決しようとする課題】
【００１０】
上記の、メモリ７に格納した画像データを面点変換して点順次の画像データとして出力するデータ転送は、大きな画像を処理する場合には、画像が大きくなるに従って、メモリ７に転送される各色のプレーン領域と面点変換後の点順次画像データが共に増大するため、必要なメモリ容量が増大し、コストアップにつながる。また，画像が大きくなるに従って、面点変換処理（各色プレーンのメモリリード，面点変換，点順次画像データのメモリライト）にかかる時間が増大するため、画像処理の生産性が落ちてしまう。このように、従来技術では、大きな画像を扱うためには、メモリコストと画像データ処理の生産性の面で課題があった。
【００１１】
本発明は、所要メモリ容量の増大を抑制し画像データの線順次から点順次への変換に伴う画像データ処理の生産性を高くすることを目的とする。
【課題を解決するための手段】
【００１２】
（１）カラー画像データの補正手段および線点変換手段を持ち、色別線順次でパラレルに入力されるライン上画素の色別画像データを、前記補正手段による補正と前記線点変換手段による線点変換を行って点順次で出力する機能を持つ、入力画像データ処理装置；
メモリ手段；および、
前記入力画像データ処理装置が出力する点順次の画像データを前記メモリ手段に格納し、前記メモリ手段より点順次で読み出す画像転送制御手段；
を備える画像処理装置。
【００１３】
（２）カラー画像データの補正手段および線点変換手段を持ち、色別線順次でパラレルに入力されるライン上画素の色別画像データを、前記補正手段で補正し色別線順次で出力する機能と、前記補正手段による補正と前記線点変換手段による線点変換を行って点順次で出力する機能とを持つ、入力画像データ処理装置；
メモリ手段；および、
前記入力画像データ処理装置が出力する線順次又は点順次の画像データを前記メモリ手段に格納し、前記メモリ手段より線順次又は点順次で読み出す画像転送制御手段；
を備える画像処理装置。
【００１４】
（３）更に、記録色画像データが表す画像を用紙上に形成するプリンタ；および、
前記線順次の色別画像データを前記プリンタ用の記録色画像データに変換する色補正機能を持ち、前記色別線順次の画像データを前記記録色画像データに変換して線順次で前記プリンタに出力する、出力画像データ処理装置；を備え、
前記画像転送制御手段は、前記メモリ手段に格納した線順次の画像データを、前記出力画像データ処理装置に出力する機能を持つ；上記（２）に記載の画像処理装置。
【００１５】
（４）更に、記録色画像データが表す画像を用紙上に形成するプリンタ；および、
前記線順次の色別画像データを前記プリンタ用の記録色画像データに変換する色補正機能を持ち、前記色別線順次の画像データを前記記録色画像データに変換して線順次で前記プリンタに出力する機能を持つ、出力画像データ処理装置；を備え、
前記画像転送制御手段は、前記メモリ手段より線順次又は面順次の画像データを読み出して前記出力画像データ処理装置に出力する機能を持つ；上記（２）に記載の画像処理装置。
【００１６】
（５）前記画像転送制御手段は、前記メモリ手段に格納した点順次の画像データを読み出して外部に送出する機能を持つ；上記（１）乃至（４）のいずれか１つに記載の画像処理装置。
【００１７】
（６）カラー画像データの補正手段および線点変換手段を持ち、色別線順次でパラレルに入力されるライン上画素の色別画像データを、前記補正手段で補正し色別線順次で出力する機能と、前記補正手段による補正と前記線点変換手段による線点変換を行って点順次で出力する機能とを持つ、入力画像データ処理装置；
メモリ手段；
記録色画像データが表す画像を用紙上に形成するプリンタ；
前記カラー画像データを前記プリンタ用の記録色画像データに変換する色補正機能を持ち、前記色別線順次の画像データを前記記録色画像データに変換して線順次で前記プリンタに出力する機能を持つ、出力画像データ処理装置；および、
前記入力画像データ処理装置が出力する線順次又は点順次の画像データを前記メモリ手段に格納し、前記メモリ手段より読み出して、前記出力画像データ処理装置又は外部に出力する画像転送制御手段；
を備える画像処理装置。
【００１８】
（７）画像面のライン上画素の色別画像データを発生して色別線順次で前記入力画像データ処理装置に出力する画像読み取り手段；を更に備える上記（１）乃至（６）のいずれか１つに記載の画像処理装置。
【００１９】
（８）前記線点変換手段は、色別線順次でパラレルに入力されるライン上画素の色別画像データを、点順次画像データに変換する点順次変換手段，前記点順次画像データをライン単位で一時格納するバッファメモリ、および、該バッファメモリから、ライン単位を色別数で分割してパラレルに出力する分割出力手段、を備える上記（１）乃至（７）のいずれか１つに記載のカラー画像処理装置。
【００２０】
（９）前記画像転送制御手段は、前記分割出力手段がライン単位を色別数で分割してパラレルに出力する点順次の画像データを前記メモリ上の連続したメモリアドレスに格納する；上記（８）に記載のカラー画像処理装置。
【００２１】
（１０）前記線点変換手段は、色別線順次でパラレルに入力されるライン上画素の色別画像データを、点順次画像データに変換する点順次変換手段，前記点順次画像データをライン単位で順次に複数ライン分格納するバッファメモリ、および、該バッファメモリから、前記複数ライン分をパラレルに出力するライン出力手段、を備える上記（１）乃至（７）のいずれか１つに記載のカラー画像処理装置。
【発明の効果】
【００２２】
上記（１），（２）および（６）によれば、メモリに画像データを格納する手前で，画像処理ユニット部にて入力画像を点順次画像に変換することができる。つまり、面順次画像をメモリに格納することなく，点順次画像のみをメモリに格納することができる。したがって、面順次画像分のメモリは不要になるため、メモリをより効率よく使用することが可能になる。また，ＣＰＵでの面点変換処理自体がなくなるため、ＣＰＵをより効率よく使用することが可能になる。
【００２３】
上記（２）によれば、所要の画像処理が、点順次の画像データへの変換が必要ない場合には、点順次に変換せずに出力することができることにより、従来どおりの、線順次の画像機能も実現できる。
【００２４】
上記（８）又は（１０）によれば、線点変換時に点順次に変換してからバッファすることによって、出力時のバッファアクセスをシンプルにすることができます。コストの削減が可能です。色別にバッファすると、点順次に変換および出力時の処理、が煩雑になり（バッファに対してランダムアクセスが発生するため）、これを回避するために複数のバッファを持つことになる。
【００２５】
上記（８）および（９）によれば、線点変換において，点順次の画像を主走査方向に分割出力することによって、パラレルで入力される画像（＝線点変換して生成される点順次の画像データ）を滞らせることなく出力できる。Ｒ，Ｇ，Ｂ３色の場合，点順次の画像の主走査幅は線順次の３倍になるが、主走査方向に３分割して同時出力することによって、線点変換の入，出力の速度を等しく保つことができるため、線点変換部に余分なバッファが不要になる。
【００２６】
上記（９）によれば、線点変換において、１ライン分の主走査方向に分割した点順次画像の、分割された画像間の隙間に不要なデータ入らないように、隙間なくメモリに格納できる。格納された点順次の画像データはそのまま使用できるため、不要データの除去等の余計なＣＰＵの処理時間を削減することができる。
【００２７】
上記（１０）によれば、線点変換において，複数ライン分をパラレルで出力する（副走査方向に分割するイメージ）ことによって，その間にパラレルで入力される画像（＝線点変換して生成される点順次の画像）を滞らせることなく出力できる。Ｒ，Ｇ，Ｂ３色の場合、点順次の画像の主走査幅は線順次の３倍になるが、３ライン分の点順次画像を蓄積してから３ライン分を３ライン入力している間に同時出力することによって、入出力の速度を等しく保つことができ、線点変換部に余分なバッファが不要になり、コストダウンが可能である。
【発明を実施するための最良の形態】
【００２８】
本発明の他の目的および特徴は、図面を参照した以下の実施例の説明より明らかになろう。
【実施例１】
【００２９】
図１に本発明の第１実施例の複合機能複写機ＭＦ１の外観を示す。このフルカラー複写機は、大略で、自動原稿送り装置（ＡＤＦ）１３と、操作ボード６と、カラースキャナ１と、カラープリンタ１２およびフィニッシャ１４の各ユニットで構成されている。なお、操作ボード６，ＡＤＦ１３付きのカラースキャナ１およびフィニッシャ１４は、プリンタ１２から分離可能なユニットであり、カラースキャナ１は、動力機器ドライバやセンサ入力およびコントローラを有する制御ボードを有して、システムコントローラの主体であるＣＰＵ５（図２）の指示に応じて原稿画像の読み取りを行う。
【００３０】
複写機ＭＦ１には、パソコンＰＣが接続したＬＡＮ(Local Area Network)が接続されており、また、電話回線ＰＮ（ファクシミリ通信回線）に接続された交換器ＰＢＸが接続されている。カラープリンタ１２のプリント済の用紙は、フィニッシャ１４に排出される。
【００３１】
スキャナ１は、原稿を、照明ランプおよびミラーを搭載したキャリッジで走査してイメージセンサ（ＣＣＤ）に投影するフラットベッド方式の原稿スキャナであるが、シートスルー読み取りも可能なように、第キャリッジがホームポジション（待機位置）ＨＰで停止しているときの第１ミラーの読み取り視野位置に、シートスルー読み取り窓であるガラスがあり、この窓ガラスの上方に自動原稿供給装置(ＡＤＦ)１３が装着されており、シートスルー方式の読み取りすなわちＡＤＦ読み取りのときは、ＡＤＦ１３が原稿を、窓ガラスを通過するように送る。
【００３２】
カラープリンタ１２は、レーザプリンタである。１色のトナー像を形成する、感光体および現像器ならびにチャージャ，クリーニング装置および転写器の組体（作像ユニット）は、Ｍ（マゼンタ），Ｃ（シアン），Ｙ（イエロー）およびＢｋ（黒）のそれぞれの作像用に一組、合せて４組があり、この順に搬送ベルトに沿ってタンデムに配列されており、それらによって形成された各色トナー像が順次に一枚の転写紙上に重ねて転写される。
【００３３】
スキャナ１にて読み込まれた画像データは、一枚コピーの設定の場合には、画像データ処理装置２（図２）で、読み取り補正とプリンタ出力用のデータ変換をして、プリンタ１２に出力される。画像読み込み又は複数枚コピーの設定の場合には、画像データ処理装置２（図２）で読み取り補正され、一旦メモリ７（図２）に書き込まれる。そして複数枚コピーの場合には、読み込みを終了すると共に読み出され、画像データ処理装置２でプリンタ出力用の画像データに変換してプリンタ１２に出力される。後処理装置のフィニシャ１４は、本体の排紙ユニットによって搬送された転写紙を、通常排紙ローラ方向と、ステープル処理部方向へ導く事ができる。切り替え板を上に切り替える事により、搬送ローラを経由して通常排紙トレイ側に排紙する事ができる。また、切り替え板を下方向に切り替える事で、搬送ローラを経由して、ステープル台に搬送する事ができる。ステープル台に積載された転写紙は、一枚排紙されるごとに紙揃え用のジョガーによって、紙端面が揃えられ、一部のコピー完了と共にステープラによって綴じられる。ステープラで綴じられた転写紙群は自重によって、ステープル完了排紙トレイに収納される。一方、通常の排紙トレイは前後（図１紙面と垂直な方向）に移動可能な排紙トレイである。前後に移動可能な排紙トレイ部は、原稿毎、あるいは、画像メモリによってソーティングされたコピー部毎に、前後に移動し、排出されてくるコピー紙を簡易的に仕分けるものである。
【００３４】
図２に、複合機能複写機ＭＦ１の書画情報処理系統のシステム構成を示す。スキャナ１およびプリンタ１２は、画像データ処理装置２に接続されている。
【００３５】
画像データ処理装置２には、入力画像データ処理２ａおよび出力画像データ処理２ｂがある。入力画像データ処理２ａは、スキャナ１が出力する画像データに対して、地肌除去，スキャナガンマ補正，フィルタ処理などの、読取り歪を補正する画像処理を施す。加えて、本発明の実施のために、線点変換も行う。出力画像データ処理２ｂは、色補正（ＲＧＢ信号のＹＭＣＫ信号への色変換を含む），変倍，画像加工，プリンタガンマ変換，階調処理などの画質処理をおこなう。
【００３６】
バス制御装置３は、画像データ処理装置２とメモリ制御装置４との間、ならびに、画像データ処理装置２の入力画像データ処理２ａと出力画像データ処理２ｂとの間の、画像データ転送のためのデータラインの使用割当てを制御し、これらの装置と、システムコントローラの主体であるＣＰＵ５との間の通信をおこなう。また、画像データの１次圧縮／伸張も行う。
【００３７】
メモリ制御装置４は、アクセス制御，メモリ制御，圧縮／伸張，画像編集，バス制御，ポート制御，ネットワーク制御などの機能を備えている。メモリ制御，圧縮／伸張，画像編集，バス制御，ポート制御，ネットワーク制御は、それぞれＤＭＡＣ（ダイレクトメモリアクセス制御）を介してアクセス制御に接続される。
【００３８】
メモリ制御装置４は、システムコントローラの主体であるＣＰＵ５の制御に基づいて、メインメモリ７，ＨＤＤ８に対する画像データのアクセス制御，ＬＡＮ上に接続したパソコンＰＣ１等のプリント用データの展開，メインメモリ７，ＨＤＤ８の有効活用のための画像データの２次圧縮／伸張ならびにパソコンＰＣ１，メモリカード等への画像データの転送等もおこなう。バス制御装置３からメモリ制御装置４へ送られた画像データ（１次圧縮データ）は、メモリ制御装置４が、データ圧縮（２次圧縮）して、メインメモリ７又はＨＤＤ８に蓄積する。蓄積された画像データは必要に応じて読み出す。読み出した画像データは、伸張（２次伸張）して、１次圧縮データに戻してメモリ制御装置４からバス制御装置３へ戻す。そしてバス制御装置３で本来の画像データに伸張（１次伸張）して、画像データ処理装置２を経てプリンタ１２に出力する。
【００３９】
メモリ制御装置４にはまた、汎用（市販）の解凍／圧縮機能もあり、ファクシミリ，ＰＣあるいはメディア（メモリカード等）から読み込んだ圧縮データを解凍（伸張）することができ、また、複写機内で生成する面順次，線順次又は点順次の画像データを圧縮することができる。外部入出力コントローラ９およびネットワークＩ／Ｆ１０又はメディアＩ／Ｆ１１を介して、外部ファクシミリ，パソコンＰＣ１，メモリカード等に転送するときには、この圧縮機能で圧縮しててから転送する。メモリ制御装置４には更に、線面変換，線点変換，面線変換および１次圧縮／伸張機能もある。２次伸張機能でメモリ７の２次圧縮データを１次圧縮データに伸張し、そして１次伸張機能で１次圧縮データを画像データに伸張してメモリ７に展開することが出来る。メインメモリ７上に展開した線順次の画像データを、線面変換により面順次で読み出すことが出来、線点変換を用いて点順次で読み出すことが出来る。また、メインメモリ７に面順次で展開された画像データを面線変換により線順次で読み出すことができる。さらには、メインメモリ７に展開した画像データを読み出して１次圧縮機能で圧縮してバス制御装置３に１次圧縮データを送出することが出来、この場合バス制御装置３は、１次伸張によって画像データを復元してプリンタ２に出力することが出来る。
【００４０】
システムコントローラの主体であるＣＰＵ５は、ＨＤＤ８に対するプログラム，制御データ等の、書画情報以外のデータの読み書きを制御し、また各構成部の動作を制御する。
【００４１】
操作ボード６は、ユーザの入力に対応して、ＣＰＵ５がおこなうべき処理を指示する。たとえば、処理の種類（複写、ファクシミリ送信、画像読込、プリント等）および処理の枚数等を入力する。すなわち操作ボード６は、操作ボード６に対するユーザの操作に対応して、置数キーの押下の読込みと入力数字データの生成，スタートキーの押下の読込みと、スタート指示の、ＣＰＵ５への転送，用紙サイズの切換え入力の読取りなど、ユーザの操作読取りおよび表示出力の制御を行う。これにより、画像データ制御情報の入力を行うことができる。
【００４２】
メモリ制御装置４のネットワーク制御は、ＬＡＮおよびインターネットとの接続を制御する。ネットワーク制御は、ネットワークに接続された外部拡張機器に対するデータの送受信を管理する。すなわち、ＨＤＤ８に格納（セットアップ）したｗｗｗサーバ，ＦＴＰサーバ，ＳＭＴＰサーバ，ＤＨＣＰサーバおよびその他の、ファイル，メールの送受信に使用するサーバに基づいて、外部入出力コントローラ９を介して、ＬＡＮおよびインターネットを介するファイル，メールの送受信を行う。また、送信ファイルの生成ならびに受信ファイルのディレクトリへの付加を行う。ＣＰＵ５は、メモリ制御装置４におけるネットワークインターフェースについて制御をおこなう。例えば、操作ボード６又はＰＣ１からの原稿読み取り＆送信のコマンドに対応してメモリ制御装置４に、送信ファイルの生成，送信先のディレクトリの生成および送信を指示する。
【００４３】
アクセス制御は、ＣＰＵ５によるコマンド制御を実施する。アクセス制御はまた、メモリ７，ＨＤＤ８を中心に、外部ユニットからのメモリ７，ＨＤＤ８アクセスを管理する。スキャナ１が出力する画像データは、画像データ処理装置２を経て、バス制御装置３を介してメモリ制御装置４に転送され、メモリ制御装置４内に取り込まれる。取り込まれた画像データのメモリアクセスは、ＣＰＵ５の管理から離れる。すなわち、そのメモリアクセスは、システム制御から独立してダイレクトメモリアクセス制御（ＤＭＡＣ）によりおこなわれる。メモリ７，ＨＤＤ８へのアクセスについて、アクセス制御は複数ユニットからのアクセス要求の調停をおこなう。そして、メモリ制御は、メモリ７，ＨＤＤ８のアクセス動作またはデータの読み出し／書き込みを制御する。
【００４４】
ネットワークからメモリ７，ＨＤＤ８へアクセスする場合、ネットワークからネットワーク制御によりメモリ制御装置４内に取り込まれたデータは、ダイレクトメモリアクセス制御ＤＭＡＣによりメモリ７，ＨＤＤ８へ転送される。アクセス制御は、複数ジョブでのメモリ７，ＨＤＤ８へのアクセスの調停をおこなう。メモリ制御は、メモリ７，ＨＤＤ８に対するデータの読み出し／書き込みをおこなう。シリアルバスからメモリ７，ＨＤＤ８へアクセスする場合、ポート制御によりポートを介してメモリ制御装置４内に取り込まれたデータは、ダイレクトメモリアクセス制御ＤＭＡＣによりメモリ７，ＨＤＤ８へ転送される。ネットワークまたは直接接続されたＰＣからのプリント出力データは、ＣＰＵ５により、フオントデータを用いてイメージデータに変換されて、メモリ７，ＨＤＤ８内のメモリエリアに展開される。
【００４５】
各外部ユニットとのインターフェースについては、ＣＰＵ５が管理する。メモリ制御装置４内に取り込まれた後のデータ転送については、それぞれのＤＭＡＣがメモリアクセスを管理する。この場合、各ＤＭＡＣは、お互いに独立してデータ転送を実行するため、アクセス制御は、メモリ７，ＨＤＤ８へのアクセスに関するジョブの衝突、または各アクセス要求に対する優先付けをおこなう。
【００４６】
図３に、画像データ処理装置２の画像処理機能の概要を示す。画像データ処理装置２には、入力画像データ処理２ａおよび出力画像データ処理２ｂがある。大要では、入力画像データ処理２ａは、スキャナ１が出力する読取り画像データ（Ｒ，Ｇ，Ｂデータ）の画像品質を良くするスキャナ読取り補正を行い、出力画像データ処理２ｂは、読取り画像データを、プリンタ２の画像表現特性に合致する記録画像データに変換ししかも作像品質をよくする補正を行う。
【００４７】
入力画像データ処理２ａには、分離生成（画像が文字領域か写真領域かの判定：像域分離）をしてその結果に従って地肌を除去する地肌除去２１，画像データの階調特性を校正又は調整するスキャナガンマ補正２２，画像特性（文字／写真）にあわせて鮮鋭化又は平滑化するフィルタ処理２３、および、線順次の画像データを点順次の画像データに変換する線点変換２４がある。線点変換をしない線順次の画像データは、バス制御装置３の標準入力ポートＰｉｎ（線順次入力ポート）に出力されるが、線点変換２４の点順次の画像データは、バス制御装置３の点順次入力ポートＰｉｐに出力される。本実施例では，線点変換２４は、順次入力される線順次画像データを点順次画像データに変換して，順次所定の時間内に出力する。
【００４８】
出力画像データ２ｂには、読取り画像データ（Ｒ，Ｇ，Ｂデータ）を、記録色データ（Ｙ，Ｍ，Ｃ，ｂＫデータ）に変換する色補正２６，変倍２７，画像加工２８，画像データの階調特性を校正又は調整するプリンタガンマ補正２９、および、階調数の変更とディザ処理もしくは誤差拡散処理等の面積階調変換を行う階調処理３０がある。バス制御装置３の標準出力ポート（線順次出力ポート）Ｐｏｎから出力される線順次の画像データは、色補正２６に与えられる。
【００４９】
図４に示す様に、操作ボード６には、液晶タッチパネル６１のほかにキー群６２がある。キー群６２には、テンキー６２１，クリア／ストップキー６２２，スタートキー６２３，初期設定キー６２４，モード切換えキー６２５，テスト印刷キー６２６および電源キー６２７がある。ＵＲＬ，ファイル名，フォルダ名等の入力，設定用ならびに短縮登録用の、平仮名を付記したアルファベットは、それらの入力ステージで液晶タッチパネル６１にキーボタンで表示される。電源キー６２７は、省エネモード（休止モード又は低電力モード）から画像印刷が可能なスタンバイモードに、またその逆への切換えを指示するための操作キーである。省エネモードが設定されている時に電源キー６２７が一回押されると、省エネモードからスタンバイモードに切換る。スタンバイモードであるときに電源キー６２７が一回押されると、スタンバイモードから休止モードに切換る。テスト印刷キー６２６は、設定されている印刷部数に関わらず１部だけを印刷し、印刷結果を確認するためのキーである。
【００５０】
初期設定キー６２４を押す事で、機械の初期状態を任意にカスタマイズする事が可能である。省エネモードへの移行時間を設定したり、機械が収納している用紙サイズを設定したり、コピー機能のリセットキーを押したときに設定される状態を任意に設定可能である。また、スキャナ読み取りの画像データをＰＣ，リムーバブルメディア（メモリカード等），ファクシミリ，サーバ，携帯等に転送する、後述の「外部等に転送」Ｄｓｏ（図９）において、転送先（上記ＰＣ等）に与える画像データの順次方式（面順次／線順次／点順次）も登録（操作ボード６内のＮＶＲＡＭへの書込み）することが出来る。初期設定キー１８が操作されると、各種初期値を設定するための「初期値設定」機能ならびに「外部対応の順次方式設定」機能を指定するための選択ボタンが表示される。「外部対応の順次方式設定」機能を選択して、外部（上記ＰＣ等）対応で順次方式を設定することが出来る。
【００５１】
液晶タッチパネル６１には、各種機能キーならびに選択した機能の実行条件を入力する入力キーおよびメッセージなどが表示される。液晶タッチパネル６１には、「コピー」機能，「配信スキャナ」機能，「登録」機能，「メディア書込み」機能，「印刷」機能，「メディア出力」機能および「ファクシミリ」機能の選択用および実行中を表わす機能選択キーが表示される。機能選択キーにユーザがタッチすると、その機能に定まった入出力画面が液晶タッチパネル６１に表示される。
【００５２】
例えば「複写」機能が指定されているときには、図４に示すように、機能キー群ならびに部数及び画像形成装置の状態を示すメッセージが表示される。機能キー群の中には、印刷色指定キー「黒（ＢＫ）」，「フルカラー」，「自動色選択」，「青（Ｃ）」，「赤（Ｍ）」および「黄（Ｙ）」指定キーがある。オペレータが液晶タッチパネル６１に表示されたキーにタッチすると、操作ボード６はオペレータ入力として読み込み、選択された機能を示すキーを、指定中を表す灰色に反転表示する。スキャナー１に原稿をセットしてスタートキーを押すことにより、コピーをすることが出来る。
【００５３】
「配信スキャナ」選択キーにユーザがタッチすると、原稿をスキャナ１で読み取って、画像データをネットワークＩ／Ｆ１０を介して直接接続のＰＣ又はネットワークを介して通信できるＰＣ等に送信することが出来る。「登録」機能は、スキャナ１が読み取った画像データ又は外部（ネットワークＩ／Ｆ１０，メディアＩ／Ｆ１１等）から入力された書画情報をＨＤＤ８に登録するものである。「メディア書込み」機能は、スキャナ１で原稿を読み取って、メディアＩ／Ｆ１１を介してリムーバブルメディア（例えばメモリカード）に格納するものである。「印刷」機能は、ＨＤＤに登録した書画情報をプリンタ２でプリントアウトするものである。「メディア出力」機能は、メディアＩ／Ｆ１１をかいして、リムーバブルメディアの画像ファイルの画像データを読み出して、プリンタ２で印刷するものである。「ファクシミリ」機能は、スキャナ１で原稿を読み取ってファクシミリ送信するものである。
【００５４】
図５には、図３に示す線点変換２４の機能を示す。線点変換２４は、点順次変換３１と分割出力３３とバッファ（バッファメモリ）３２からなる。点順次変換３１は、入力される線順次のパラレル入力のＲ，Ｇ，Ｂ画像データを、１画素毎にＰ／Ｓ（パラレル／シリアル）変換して、すなわち点順次の画像データに変換して、バッファ３２にライン単位で格納する。分割出力３３が、１ラインの点順次画像データを３分割して同時にパラレル出力する。すなわち、線順次で１ライン分のＲ，Ｇ，Ｂ画像データのパラレル入力期間以内に、先行ラインの点順次の画像データの出力が完了する。線点変換２４の画像データ入力速度と出力速度を同一に出来る。
【００５５】
より具体的には、あるラインの線順次のＲ，Ｇ，Ｂパラレル入力のＲ，Ｇ，Ｂ画像データを点順次変換３１で点順次変換（画素単位のＰ／Ｓ変換）して第２ラインバッファＬＢ２に書込み、このとき同時に第１ラインバッファＬＢ１に書込んでいる先行ラインの線順次の画像データを、分割出力３３によってライン３分割でパラレル出力する。この出力は、第２ラインバッファＬＢ２に該あるラインの画像データを点順次で書込んだときに完了する。そこで次には、該あるラインの次のラインすなわち後行ラインの線順次のＲ，Ｇ，Ｂパラレル入力のＲ，Ｇ，Ｂ画像データを点順次変換３１で点順次変換（画素単位のＰ／Ｓ変換）して第１ラインバッファＬＢ１に書込み、このとき同時に第２ラインバッファＬＢ２に書込んでいる該あるラインの線順次の画像データを、分割出力３３によってライン３分割でパラレル出力する。このように、第１および第２ラインバッファを、一方にあるラインのＲ，Ｇ，Ｂ画像データを点順次で書込む間に他方から先行ラインの点順次の画像データを、１／３ラインピッチで同時に３画素分、パラレル出力し、１ライン分のこの入出力が終わると、第１および第２ラインバッファＬＢ１，ＬＢ２を、書込みにしていたものを読み出しに、読み出しにしていたものを書込みに切り換えて、同様に入出力を行う。このように第１および第２ラインバッファＬＢ１，ＬＢ２がトグルで使用される。
【００５６】
図６に、上述の、線順次入力／点順次出力での画像データの移動タイミングを示す。まず，線順次で入力されるＲ，Ｇ，Ｂ３色の１ライン目の画像に対して順次線点変換を行い、第１ラインバッファＬＢ１へ転送する。続けて２ライン目を線点変換した画像は第２ラインバッファＬＢ２へ転送する。１ライン目の線点変換が完了し第１ラインバッファＬＢ１への格納を終えると、該第１ラインバッファＬＢ１から１ライン目の点順次画像を主走査方向に３分割して出力する。２ライン目の線点変換が完了し第２ラインバッファＬＢ２への格納を終えると、続けて第２ラインバッファＬＢ２から２ライン目の点順次画像を同様に出力する。線点変換処理，分割出力処理ともに、画像入力速度以上で実効できるため、画像データ入力に対して滞りなく処理を進めることができる。
【００５７】
図７に、線点変換２４が出力する点順次画像データの、メインメモリ７への書込みの概要を示す。画像データ処理装置２の線点変換２４から１ラインを主走査方向に３分割して同時に出力された点順次データは、１ラインの連続画像とするために、バス制御装置３およびメモリ制御装置４によって、メモリ７上の連続する領域に書込まれる。すなわち、メモリ制御装置４は、分割出力３３がライン単位を色別数３で分割してパラレルに出力する点順次の画像データを、メモリ７上の連続したメモリアドレスに格納する。
【００５８】
図８には、第１実施例において、スキャナ１によって読取った原稿画像を、点順次画像データに変換してメインメモリ７に格納する場合の画像データの経路を示す。
【００５９】
図３を再度参照する。画像データ処理装置２の入力画像データ処理２ａは、原稿読み取りの画像データであるＲ，Ｇ，Ｂ画像データを、線順次のままバス制御装置３の標準入力ポートＰｉｎに出力することが出来、また、点順次に変換してバス制御装置３の点順次入力ポートＰｉｐに出力することが出来る。
【００６０】
この実施例では、モノクロ一枚コピーの設定では、黒ｂＫの作像のみとなるので、原稿読み取りの、線順次のＲ，Ｇ，Ｂ画像データを入力画像データ処理２ａからバス制御装置３の標準入力ポートＰｉｎに出力し、バス制御装置３が標準入力ポートＰｉｎに与えられる線順次の画像データを標準出力ポートＰｏｎから出力画像データ処理２ｂの色補正２６２与える。すなわち原稿読み取りの画像データはメインメモリ７には書込まない。しかし、カラー１枚のコピー設定の場合、ならびにモノクロ，カラーを問わず複数枚のコピー設定の場合には、原稿読み取りの、線順次のＲ，Ｇ，Ｂ画像データを入力画像データ処理２ａからバス制御装置３の標準入力ポートＰｉｎに出力し、バス制御装置３が１次圧縮し、メモリ制御装置４が２次圧縮して、メインメモリ７に書込む。これにより、メモリ７には、線順次の画像データの１次および２次圧縮した圧縮データが蓄積される。そしてメモリ制御装置４によってメモリ７から圧縮データを読み出しそして２次伸張してバス制御装置３に出力し、バス制御装置３で１次伸張して標準出力ポートＰｏｎから出力画像データ処理２ｂの色補正２６２与える。
【００６１】
このように、この実施例では、コピーの場合は、スキャナ１が出力する画像データの順次方式である「線順次」で画像データを転送する。しかし、ＨＤＤ８に登録する場合、ならびに、ネットワークＩ／Ｆ１０およびメディアＩ／Ｆ１１を通して外部（メディア，ＰＣ，ファクシミリ，サーバ，携帯，・・・）と画像データをやり取り（送，受）する場合は、面順次，線順次および点順次のいずれでも適合するように、メモリ制御装置４に、２次圧縮／伸張，線面変換，線点変換，面線変換，１次圧縮／伸張、および、汎用の圧縮／解凍、の機能を備えている。なお、１次圧縮／伸張は、バス制御装置３が備える１次圧縮／伸張の機能と同一機能である。汎用の圧縮／解凍は、外部（メディア，ＰＣ，ファクシミリ，サーバ，携帯，・・・）業界において汎用の数種である。
【００６２】
外部（メディア，ＰＣ，ファクシミリ，サーバ，携帯，・・・）に画像データを転送するとき、該外部から順次方式の指定を受けたときには、該順次方式の画像データを生成して外部に転送する。順次方式の指定が不明な場合には、操作ボード６のＮＶＲＡＭに登録している、各外部宛の順次方式の画像データを生成して外部に転送する。
【００６３】
図９に、操作ボード６のＮＶＲＡＭに登録している、外部およびＨＤＤ８宛ての順次方式の設定態様を示す。上述のように、コピーの場合は常に線順次で画像データを転送し、これは変更できない。しかし、ネットワークＩ／Ｆを用いてスキャナ１で読み取った画像データをＰＣ等に送信する配信スキャナの場合は、操作ボード６の初期設定機能を使用して配信アドレス毎に順次方式を登録できる。ＨＤＤ８に画像データを登録する場合にも、操作ボード６の初期設定機能を使用して順次方式を設定できる。同様に、メディアＩ／Ｆ１１に接続した各種メディア読み書きデバイスに画像データを転送してメディアに書き込むメディア書込みの場合も、各種メディア読み書きデバイス宛に順次方式を設定できるし、ＦＡＸ（送信）の場合も、相手先ごとに順次方式を設定できる。
【００６４】
図１０に、操作ボード６に対するユーザ入力によって、外部（メディア，ＰＣ，ファクシミリ，サーバ，携帯，・・・）への画像出力が指示された場合の、システムコントローラの主体であるＣＰＵ５の画像処理制御の概要を示す。原稿画像の転送が指示された場合（例えば配信スキャナの場合）には、転送先（外部）が指定した順次方式（指定がない場合には操作ボード６のＮＶＲＡＭに登録している、転送先宛の順次方式）を参照する（Ｓ１）。
【００６５】
順次方式に「線順次」が指定されていると、スキャナ１の原稿読み取りの画像データを、線順次のまま、バス制御装置３で１次圧縮し、メモリ制御装置４で２次圧縮してメモリ７に書き込む（Ｓ２）。そしてメモリ制御装置４で元の線順次の画像データに伸張してメモリ７に書込む（Ｓ３）。次に、メモリ制御装置４でメモリ７の画像データを線順次で読み出して、汎用の圧縮をして転送先（外部）に転送する（Ｓ４）。
【００６６】
順次方式に「点順次」が指定されていた場合には、スキャナ１の原稿読み取りの画像データを、画像データ処理装置２の線点変換２４で点順次に変換して、バス制御装置３で１次圧縮し、メモリ制御装置４で２次圧縮してメモリ７に書き込む（Ｓ５）。そしてメモリ制御装置４で元の点順次の画像データに伸張してメモリ７に書込む（Ｓ６）。次に、メモリ制御装置４でメモリ７の画像データを点順次で読み出して、汎用の圧縮をして転送先（外部）に転送する（Ｓ７）。
【００６７】
順次方式に「面順次」が指定されていると、スキャナ１の原稿読み取りの画像データを、線順次のまま、バス制御装置３で１次圧縮し、メモリ制御装置４で２次圧縮してメモリ７に書き込む（Ｓ８）。そしてメモリ制御装置４で元の線順次の画像データに伸張してメモリ７に書込む（Ｓ９）。次に、メモリ制御装置４でメモリ７の画像データを線面変換で面順次に変換して読み出して、汎用の圧縮をして転送先（外部）に転送する（Ｓ１０）。
【００６８】
なお、スキャナ１で原稿を読み取るのではなく、ＨＤＤ８に登録している画像や、外部から受信してメモリ７に書き込んだ画像、あるいは、メモリ７にイメージ展開した画像を外部に転送する場合も、画像データが線順次又は点順次であると、ステップＳ４，Ｓ７或いはＳ１０で、所要の順次方式に変換して外部に転送する。元画像データが面順次方式の場合には、メモリ制御装置４で面線変換で線順次に読み出して外部に転送できるし、面点変換で読み出して点順次で外部に転送できる。
【００６９】
図１１に、操作ボード６に対するユーザ入力によって、外部（メディア，ＰＣ，ファクシミリ，サーバ，携帯，・・・）の画像のプリントアウトが指示された場合の、システムコントローラの主体であるＣＰＵ５の画像処理制御の概要を示す。プリントアウトが指示されると該画像の圧縮データをメモリ制御装置４で解凍（伸張）してメモリ７に展開する（Ｓ１１）。次に、展開した画像データの順次方式を参照する（Ｓ１２）。
【００７０】
線順次であると、メモリ制御装置４でメモリ７から画像データを線順次で読み出して、１次圧縮してバス制御装置３に送出し、バス制御装置３が１次伸張して線順次で画像データ処理装置２の色補正２６に出力する。画像データ処理装置２は、出力データ処理２ｂから、記録色Ｙ，Ｍ，Ｃ，ｂＫ画像データを線順次でプリンタ１２に出力する（Ｓ１３）。
【００７１】
点順次であった場合には、メモリ制御装置４でメモリ７から画像データを点順次で読み出して面順次に変換してメモリ７に書込み、面線変換で線順次で読み出し、１次圧縮してバス制御装置３に送出し、バス制御装置３が１次伸張して線順次で画像データ処理装置２に出力する。画像データ処理装置２は、出力画像データ処理２ｂから、記録色Ｙ，Ｍ，Ｃ，ｂＫ画像データを線順次でプリンタ１２に出力する（Ｓ１４）。
【００７２】
面順次であった場合には、メモリ制御装置４でメモリ７から画像データを、面線変換で線順次に読み出して、１次圧縮してバス制御装置３に送出し、バス制御装置３が１次伸張して線順次で画像データ処理装置２の色補正２６に出力する。画像データ処理装置２は、出力データ処理２ｂから、記録色Ｙ，Ｍ，Ｃ，ｂＫ画像データを線順次でプリンタ１２に出力する（Ｓ１５）。
【実施例２】
【００７３】
本発明の第２実施例では、線点変換２４が、図１２に示す、ライン単位入出力に変更されている。第２実施例のその他の構成は、第１実施例と同じである。図１２の線点変換２４の点順次変換３１は、入力される線順次の画像データを点順次に変換して、ライン単位の点順次画像を、ラインバッファＬＢ１２，ＬＢ２２，ＬＢ３２にラインごとに順次に格納する。この３ライン入力期間に、ライン出力３７が、ラインバッファＬＢ１１，ＬＢ２１，ＬＢ３１の点順次画像データをパラレル出力する。次には、点順次変換３１が点順次に変換したライン単位の点順次画像を、ラインバッファＬＢ１１，ＬＢ２１，ＬＢ３１にラインごとに順次に格納する。この３ライン入力期間に、ライン出力３７が、ラインバッファＬＢ１２，ＬＢ２２，ＬＢ３２の点順次画像データをパラレル出力する。
【００７４】
図１３に、第２実施例の一連の動作のタイミングを示す。まず、線順次で入力されるＲＧＢ３色の１ライン目の画像に対して順次線点変換を行い、ラインバッファＬＢ１１へ書込む。続けて２ライン目を線点変換した画像はラインバッファＬＢ２１へ書込む。３ライン目を線点変換した画像はラインバッファＬＢ３１へ書込む。３ライン目の点順次画像をラインバッファＬＢ３１に格納すると、１ライン目と２ライン目と３ライン目の点順次画像を、各ラインバッファの先頭から同時に出力する。これら３ラインの出力期間に、線順次で入力されるＲＧＢ３色の４ライン目の画像に対して順次線点変換を行い、ラインバッファＬＢ１２へ書込む。続けて５ライン目を線点変換した画像はラインバッファＬＢ２２へ書込む。６ライン目を線点変換した画像はラインバッファＬＢ３２へ書込む。
【００７５】
第２実施例では、線点変換２４への３ライン入力期間以内に、先行３ラインの点順次ライン出力を行うことが出来る。
【図面の簡単な説明】
【００７６】
【図１】本発明の第１実施例である複合機能複写機ＭＦ１の外観を示す正面図である。
【図２】図１に示す複合機能複写機ＭＦ１の画像処理システムの構成を示すブロック図である。
【図３】図２に示す画像データ処理装置２の機能の概要を示すブロック図である。
【図４】図１および図２に示す操作ボード６の拡大平面図である。
【図５】図３に示す線点変換２４の構成を示すブロック図である。
【図６】図５に示す線点変換２４の画像データ入出力タイミングを示すタイムチャートである。
【図７】図５に示す線点変換２４から出力する点順次の画像データの、メモリ７上の格納位置を模式的に示すブロック図である。
【図８】図２に示す実施例において、スキャナ１がパラレル出力する線順次のＲ，Ｇ，Ｂ画像データを、画像データ処理装置２で点順次の画像データに変換してメモリ７に格納する場合の、画像データの流れを示すブロック図である。
【図９】図２に示す第１実施例の、画像データ転送先対応の順次方式を示す図表である。
【図１０】図２に示すＣＰＵ５が、ＨＤＤ８に又は、メディアＩ／Ｆ１１又はネットワークＩ／Ｆ１０を介して外部に、画像データを転送する画像処理制御の概要を示すフローチャートである。
【図１１】図２に示すＣＰＵ５が、ＨＤＤ８から、又は、メディアＩ／Ｆ１１又はネットワークＩ／Ｆ１０を介して外部から、画像データを受け入れてプリンタ１２でプリントアウトする画像処理制御の概要を示すフローチャートである。
【図１２】第２実施例の線点変換２４の構成を示すブロック図である。
【図１３】図１２の（ａ）に示す線点変換２４の画像データ入出力タイミングを示すタイムチャートである。
【図１４】画像データの順次方式を示すブロック図であり、（ａ）は面順次方式を、（ｂ）は線順次方式を、（ｃ）は点順次方式を示す。
【図１５】従来の、線順次の画像データを点順次の画像データに変換する画像処理システムを示すブロック図であり、ＣＰＵ５による、メモリ制御装置４を用いるメモリ読み書き制御によって、線順次又は面順次の画像データを点順次の画像データに変換する一態様を示す。
【符号の説明】
【００７７】
ＭＦ１：複合機能複写機
ＰＢＸ：交換器
ＰＮ：電話回線
８：ＨＤＤ
Ｐｉｐ：点順次入力ポート
Ｐｉｎ：標準入力ポート
Ｐｏｎ：標準出力ポート
Ｐｏｐ：点順次出力ポート
６１：液晶タッチパネル
【図１】
2008288818.tif 000003
【図２】
2008288818.tif 000004
【図３】
2008288818.tif 000005
【図４】
2008288818.tif 000006
【図５】
2008288818.tif 000007
【図６】
2008288818.tif 000008
【図７】
2008288818.tif 000009
【図８】
2008288818.tif 000010
【図９】
2008288818.tif 000011
【図１０】
2008288818.tif 000012
【図１１】
2008288818.tif 000013
【図１２】
2008288818.tif 000014
【図１３】
2008288818.tif 000015
【図１４】
2008288818.tif 000016
【図１５】
2008288818.tif 000017